(57)【要約】【課題】  バグフィルタ用濾布の張力を数値化、濾布張力を容易に定量的に調整可能とし、しかも、持ち運びを容易とする。【解決手段】  下端が開口した濾布を引き上げる垂直ねじ棒５と、ねじ棒５にこれに引き上げ力を付与するコイルスプリング７を介して螺合するナット８とを備えたバグフィルタの前記濾布の張力を調整するためのバグフィルタ用濾布張力調整装置において、ナット８とスプリング７との間に介在されたストッパ９と、ストッパ９を固定するために、ストッパ９の上面と梁材６の下面との間に嵌め込まれるコ字状固定具１０と、ハンドル１２によりねじ棒５を引き上げ可能なジャッキ１１と、ジャッキ１１によりねじ棒５を引き上げたときに、ナット８がストッパ９から離れた時の引き上げ荷重を測る秤１３とから構成される。【選択図】  図１
2007061739.tif 000002
【特許請求の範囲】
【請求項１】
下端が開口した濾布を引き上げる垂直ねじ棒と、前記ねじ棒にこれに引き上げ力を付与するスプリングを介して螺合するナットとを備えたバグフィルタの前記濾布の張力を調整するためのバグフィルタ用濾布張力調整装置において、
前記ナットと前記スプリングとの間に介在されたストッパと、前記ストッパを固定する固定具と、前記ねじ棒を引き上げるジャッキと、前記ジャッキにより前記ねじ棒を引き上げたときに、前記ナットが前記ストッパから離れた時の引き上げ荷重を測る秤とからなることを特徴とするバグフィルタ用濾布張力調整装置。
【発明の詳細な説明】
【技術分野】
【０００１】
この発明は、バグフィルタ用濾布張力調整装置、特に、どの濾布の張力も容易に計測することができるので、濾布張力の数値化が容易に行え、この結果、濾布張力を容易且つ定量的に調整することができ、しかも、持ち運びが容易なバグフィルタ用濾布張力調整装置に関するものである。
【背景技術】
【０００２】
例えば、工場から排出される塵埃を含む排ガスは、塵埃を除去した後でないと大気に放散あるいは後工程に送ることができないので、塵埃を含む排ガスは、除塵機に通されて、除塵処理される。通常、排ガス中に含まれる塵埃を効率良く除去する除塵機としては、バグフィルタが用いられている。
【０００３】
バグフィルタは、例えば、図３に示すように、ハウジング１内の隔壁１Ａに、その下端開口を下向きにして複数本、垂直に取り付けられた濾布２を備えたものから構成されている。各濾布２は、枠組みされたリテイナ３により円筒形状に支持されている。塵埃を含む排ガスは、入口１Ｂから筒状濾布２内を通過して、出口１Ｃからハウジング１外に排気される。濾布２に捕捉された塵埃は、順次、塵埃回収装置（図示せず）によりハウジング１外に排出される。
【０００４】
上記バグフィルタにおいて、濾布２は、上述したように、リテイナ３により円筒形状に支持されているが、濾布２を上方に引っ張って、濾布２を張っておかないと、除塵あるいは濾布２の逆洗が良好に行われない。
【０００５】
濾布２を張る濾布張力調整手段として、図４に示すように、濾布２の上端が固定されたキャップ４にねじ棒５を垂直に固定し、梁材６から突出したねじ棒５にスプリング７を介してナット８を螺合させ、ナット８を回してその高さを変えることによって、濾布２に付与される張力を調整するものが考えられる。
【発明の開示】
【発明が解決しようとする課題】
【０００６】
上記濾布張力調整手段によれば、ナット８を回すことによって、容易に濾布２の張力を調整することができるが、濾布２の取り付け状況は、濾布毎に異なるので、ナット８の回転による濾布張力を数値化し、その調整を定量的に調整することは困難であった。このため、バグフィルタの構築時、あるいは、濾布交換時における濾布の張力調整作業は、作業員の経験と勘に頼っているのが現状であった。
【０００７】
従って、この発明の目的は、どの濾布の張力も容易に計測することができるので、濾布張力の数値化が容易に行え、この結果、濾布張力を容易且つ定量的に調整することができ、しかも、持ち運びが容易なバグフィルタ用濾布張力調整装置を提供することを目的とするものである。
【課題を解決するための手段】
【０００８】
この発明は、上記目的を達成するするためになされたものであって、下記を特徴とするものである。
【０００９】
請求項１記載の発明は、下端が開口した濾布を引き上げる垂直ねじ棒と、前記ねじ棒にこれに引き上げ力を付与するスプリングを介して螺合するナットとを備えたバグフィルタの前記濾布の張力を調整するためのバグフィルタ用濾布張力調整装置において、前記ナットと前記スプリングとの間に介在されたストッパと、前記ストッパを固定する固定具と、前記ねじ棒を引き上げるジャッキと、前記ジャッキにより前記ねじ棒を引き上げたときに、前記ナットが前記ストッパから離れた時の引き上げ荷重を測る秤とからなることに特徴を有するものである。
【発明の効果】
【００１０】
この発明によれば、バグフィルタ用濾布の張力を数値化することができるので、濾布張力を作業員の経験と勘に頼ることなく、容易に定量的に調整することができ、しかも、小形且つ軽量であるので、持ち運びが容易であるといった効果がもたらされる。
【発明を実施するための最良の形態】
【００１１】
この発明のバグフィルタ用濾布張力調整装置の一実施態様を、図面を参照しながら説明する。
【００１２】
図１は、バグフィルタに取り付けられた、この発明のバグフィルタ用濾布張力調整装置を示す正面図、図２は、バグフィルタに取り付けられた、この発明のバグフィルタ用濾布張力調整装置を示す側面図である。なお、図１から図４において、同一番号は、同一物を示す。
【００１３】
図１および図２において、５は、濾布２を引き上げるねじ棒であり、図４に示すように、濾布２の上端が固定されたキャップ４に垂直に固定されている。濾布２は、図３に示すように、その下端開口を下向きにしてハウジング１内の隔壁１Ａに所定間隔をあけて複数本、垂直に取り付けられている。各濾布２は、枠組みされたリテイナ３により円筒形状に支持されている。ねじ棒５の上部は、ハウジング１内の梁材６から突出している。７は、梁材６から突出したねじ棒５の周囲に配されたコイル状スプリング、８は、ねじ棒５に螺合するナット、９は、ナット８とスプリング７との間に介在されたストッパ、１０は、ストッパ９の上面と梁材６の下面との間に嵌め込まれるコ字状の固定具である。１１は、ねじ棒５を引き上げるジャッキであり、ハンドル１２を回すことによって、ねじ棒５を引き上げることができる。１３は、ジャッキ１１による引き上げ荷重を測る秤であり、引き上げ荷重は、針１４によって指示される。
【００１４】
なお、ストッパ９は、例えば、バグフィルタの新設時または既設バグフィルタの濾布交換時に取り付けることができる。
【００１５】
また、固定具１０は、上記コ字状のもの以外に、ジャッキ１１の脚１１Ａに昇降可能に取り付けた板状のもので、ストッパ９を固定可能なものであっても良い。
【００１６】
このように構成されている、この発明のバグフィルタ用濾布張力調整装置によれば、以下のようにして、バグフィルタの濾布の張力を容易に定量的に調整することができる。なお、実際のバグフィルタでは、濾布の本数が多数あるので、サンプリング用として、一部の濾布の張力の調整で十分であるが、全ての濾布について張力調整を行っても良いことは勿論である。
【００１７】
先ず、張力を調整すべき濾布２のストッパ９の上面と梁材６の下面との間に固定具を嵌め込んでストッパ９を固定する。次に、ジャッキ１１のハンドル１２を回してねじ棒５を徐々に引き上げる。そして、ナット８がストッパ９から離れた時の引き上げ荷重を針１４によって読めば、この荷重がバグフィルタの濾布２の張力となる。従って、予め、濾布２の適正張力を決めておけば、濾布２の張力を適正値に容易に定量的に調整することができる。
【図面の簡単な説明】
【００１８】
【図１】バグフィルタに取り付けられた、この発明のバグフィルタ用濾布張力調整装置を示す正面図である。
【図２】バグフィルタに取り付けられた、この発明のバグフィルタ用濾布張力調整装置を示す側面図である。
【図３】バグフィルタを示す概略断面図である。
【図４】濾布の取り付け構造を示す部分断面図である。
【符号の説明】
【００１９】
１：ハウジング
１Ａ：隔壁
１Ｂ：入口
１Ｃ：出口
２：濾布
３：リテイナ
４：キャップ
５：ねじ棒
６：梁材
７：スプリング
８：ナット
９：ストッパ
１０：固定具
１１：ジャッキ
１２：ハンドル
１３：秤
１４：針
【図１】
2007061739.tif 000003
【図２】
2007061739.tif 000004
【図３】
2007061739.tif 000005
【図４】
2007061739.tif 000006